(57)【要約】【課題】片手及び両手を利用して鍋やプレート等の加熱された物品をつかむことのできる多用性のある台所用具を提供する【解決手段】防熱性大シート体と、該防熱性大シート体表面左右に中央位置から指挿入可能に設けられた大シート体用指挿入部とよりなる鍋やプレート等の加熱された物品をつかむ操作具と、防熱性シート体と、該防熱性シート体表面左右に中央位置から指挿入可能に設けられたシート体用指挿入部とよりなる鍋やプレート等の加熱された物品をつかむ補助操作具とより構成される。【選択図】    図１
2007054586.tif 000002
【特許請求の範囲】
【請求項１】
防熱性大シート体と、該防熱性大シート体表面左右に中央位置から指挿入可能に設けられた大シート体用指挿入部とよりなる鍋やプレート等の加熱された物品をつかむ操作具と、
防熱性シート体と、該防熱性シート体表面左右に中央位置から指挿入可能に設けられたシート体用指挿入部とよりなる鍋やプレート等の加熱された物品をつかむ補助操作具とより構成され、
前記操作具と前記補助操作具は独立して鍋やプレート等の加熱された物品をつかむことが可能であるとともに、前記操作具に前記補助操作具を収納可能で収納した状態で前記補助操作具のシート体用指挿入部に指を入れた状態で加熱された物品をつかむことが可能であることを特徴とする台所用具。
【請求項２】
防熱性大シート体及び防熱性シート体の各々の中央左右に操作時の操作性を向上させる位置に折込部を重ねて使用した際に各々の大きさ及び厚みに対応して一体操作性を向上させるようにずれた位置に設けられたものであることを特徴とする請求項１記載の台所用具。
【請求項３】
操作具に冷蔵庫や壁などに着脱可能に固定するための磁石や吊持具等の着脱固定手段を具備したことを特徴とする請求項１又は２記載の台所用具。
【請求項４】
操作具及び補助操作具の少なくともどちらか一方の中央部に防熱性の補助シートを具備したことを特徴とする請求項１、２又は３記載の台所用具。
【請求項５】
操作具及び補助操作具の少なくともどちらか一方の裏面に防滑手段を具備したことを特徴とする請求項１、２、３又は４記載の台所用具。
【発明の詳細な説明】
【技術分野】
【０００１】  本発明は、片手及び両手を利用して鍋やプレート等の加熱された物品をつかむことのできる多用性のある台所用具に関するものである。
【背景技術】
【０００２】  従来、防熱材を手袋状に縫製したものがあった。
防熱材に指を挿入するポケットを二つ設けたものがあった。
【特許文献１】  特開平１０−２５７９８６
【特許文献２】  特開平１０−３２８０５０
【発明の開示】
【発明が解決しようとする課題】
【０００３】  そのために、次のような問題があった。
手袋状の鍋つかみにあっては、装着に両手を使用する必要性があった。
手袋状の鍋つかみ及び防熱材に指を挿入するポケットを二つ設けた鍋つかみであっても、片手にしか使用できず、両手で使用する場合には二つ用意する必要性があった。この際、保管、吊持する場所が２倍必要となっていた。
従来の各種鍋つかみにあっては、鍋やプレートなどをつかむ基シート部の厚みや防熱性を変化させることができない。これにより、高温に対応するためには素材が厚くなり、そこまでの高温に至らない対象物をつかむ際に操作性に欠落していた。
これを回避するために、防熱性が高く、薄地の素材を利用した場合においては材料費が非常に高価になっていた。
【課題を解決するための手段】
【０００４】  防熱性大シート体と、該防熱性大シート体表面左右に中央位置から指挿入可能に設けられた大シート体用指挿入部とよりなる鍋やプレート等の加熱された物品をつかむ操作具と、
防熱性シート体と、該防熱性シート体表面左右に中央位置から指挿入可能に設けられたシート体用指挿入部とよりなる鍋やプレート等の加熱された物品をつかむ補助操作具とより構成され、
前記操作具と前記補助操作具は独立して鍋やプレート等の加熱された物品をつかむことが可能であるとともに、前記操作具に前記補助操作具を収納可能で収納した状態で前記補助操作具のシート体用指挿入部に指を入れた状態で加熱された物品をつかむことが可能であることを特徴とする台所用具。【０００５】  防熱性大シート体及び防熱性シート体の各々の中央左右に操作時の操作性を向上させる位置に折込部を重ねて使用した際に各々の大きさ及び厚みに対応して一体操作性を向上させるようにずれた位置に設けたことを特徴とする。【０００６】  操作具に冷蔵庫や壁などに着脱可能に固定するための磁石や吊持具等の着脱固定手段を具備したことを特徴とする。【０００７】  操作具及びに補助操作具の少なくともどちらか一方の中央部に防熱性の補助シートを具備したことを特徴とする。【０００８】  操作具及びに補助操作具の少なくともどちらか一方の裏面に防滑手段を具備したことを特徴とする。
【発明の効果】
【０００９】  本発明において、鍋やプレート等の加熱された物品をつかむ二つの操作具を一体化して使用することができるとともに、別体として一方又は双方を使用することができ、状況に応じた使用が可能となった。
また、二つの操作具を一体化して保管することができるため、保管、収納場所の省スペース化を実現した。【００１０】  防熱性大シート体及び防熱性シート体の各々の中央左右に操作時の操作性を向上させる位置に折込部を重ねて使用した際に各々の大きさ及び厚みに対応して一体操作性を向上させるようにずれた位置に設けることにより、一体化使用時の操作性を向上させることが可能となった。【００１１】  操作具に冷蔵庫や壁などに着脱可能に固定するための磁石や吊持具等の着脱固定手段を具備することにより、生活空間の利用可能空間の一箇所に一つ分の空間で二つの操作具を収納可能となった。【００１２】  操作具及びに補助操作具の少なくともどちらか一方の中央部に防熱性の補助シートを具備したことにより、もっとも温度の影響の受けやすい箇所の防熱効率を向上させることができ、必要箇所以外の防熱素材が不要となり、低コストかつ軽量に製造、使用が可能となった。【００１３】  操作具及びに補助操作具の少なくともどちらか一方の裏面に防滑手段を具備することにより、単体として開けづらい蓋の開封作業に利用することも可能となった。
【発明を実施するための最良の形態】
【００１４】  以下、本発明の第一実施の形態について図１乃至図１０を用いて説明する。
図１は本発明の分離した状態の斜視図、図２は本発明の一体化した状態の斜視図、図３は本発明の分解斜視図、図４は本発明の斜視説明図、図５は本発明の裏面からみた斜視図、図６は本発明の分離した状態の断面図、図７は本発明の一体化した状態の断面図、図８は本発明の使用状態を示す分解図、図９は本発明の操作時の使用状態図、図１０は本発明の保管時の使用状態図である。但し、図８においては、補助線を明確にするために断面の斜線は省略した図としている。
本発明は図１及び図２に示すようにサイズの異なる操作具１と補助操作具２よりなる。
操作具１は、図３に示すように防熱性シート３と、二つの指収納部４と、引っ掛け部６と、補助シート７と、各種縁部材よりなり、これらが縫合により形成されている。
防熱性シート３は同じ大きさの円形の表シート１１と裏シート１２が重ねられて構成される。この際、各シートはどちらか一方あるいは双方で防熱性を有するものである。この際の防熱性としては、まったく熱を通さないものだけではなく、鍋の取っ手や加熱されたプレートを操作可能範囲で熱を伝えないものであればよい。さらには、キルティング生地、タオル生地の素材で、特定の高温物に関しては一方の操作具単体で操作できなくても、双方重ねることで操作可能な防熱性であってもよい。
図４に示すように、防熱性シート３の表シート１１の表面中間には帯状の補助シート７が配置されており、補助シート７の左右側辺には補助シートと表シート１１の双方にかかる位置に補助シート縁８が設けられている。この際、好ましくは補助シート縁８裏面には接着層が設けられ固定されているのが望ましい。更に補助シート縁８、補助シート７、防熱性シート３を縫合部１３で縫合し、折込部が構成されている。
防熱性シート３の表面には、補助シート７を中間として、左右に半円状の指収納部４がそれぞれ防熱性シート３の縁部にあわせて配置され、その他に引っ掛け部６をループ状として両端が補助シート７の端部に合わせた状態で外周縁５により一体に縫合される。また、指収納部４の開放端位置には収納部縁が縫合されている。この指収納部４は中央から一方に親指を、他方にその他４指を挿入でき、挿入した状態で鍋やプレートなどを持ち運び操作できる位置及び大きさとなっている。
補助操作具２は、操作具１と同様の構成よりなるものであるが、全体の大きさとしては操作具よりも小さく、図７に示すように指収納部４ｂを操作具１の指収納部４ａに収納できるようになるとともに、単体での使用もかなうものである。
本発明は以上の構成よりなる。
以下、その使い方に関して説明する。
本発明を使用するときは、操作具１あるいは補助操作具２を単体として、手に装着し取っ手やプレートを持つ。両手を使用しなければいけない場合は、それぞれを左右に装着し、図９に示すように両手を利用して熱い鍋などを持ち運ぶ。
操作にあたり、防熱シート３の中間部が最も熱の影響を受けるが、補助シート７が設けられることで、その影響をできるだけ受けないようになっている。また、縫合部１３による折込部１０があることで、補助シートの左右の防熱シートを厚さの影響を受けずに簡単に折り曲げ使用することができる。
また、極端に熱いプレートなどを持つ際は、図７及び図８に示すように補助操作具２を操作具１に入れ一体化したうえで、補助操作具２側に手をいれ使用する。この際、図８に示すように操作具１の折込部１０ａと、補助操作具２の折込部１０ｂは重なることにより厚くなった形状に対応させて、操作時のズレをできるだけ回避し図中の補助線に示す方向で一体化した状態で操作できるように異なる間隔で縫合部１３ａ、１３ｂで縫合され形成されている。
使用しないときは一体あるいは別体の状態で引っ掛け部６を引き上げ、冷蔵庫１４の前面などに設けられたフック１５のフック部にかけ吊るして保管する。一体にして、操作具１の引っ掛け部６ａを使用する際は、操作具１を吊るした状態で補助操作具２のみを使用することも可能である。【００１５】  防熱性シート３の操作時に鍋などの対象物に接触する面である裏面にゴムや樹脂などの防滑性の高い防滑材１６を設けることも可能である。図１１ａは点状に全体に分散配置した事例であり、図１１ｂは格子状に設けた事例である。
これにより、操作時の安定性を向上させるとともに、瓶の蓋開けなどにも利用できる。また、補助操作具２に設けた場合においては、操作具１に収納した状態で脱落しにくくなるとともに、上部がズレ落ちないので型崩れの防止にも役立つ。【００１６】  以下、本発明の第二実施の形態について図１２乃至図１４を用いて説明する。
図１２は本発明の他の事例の断面図、図１３は本発明のマグネットシートの斜視図、図１４は本発明の他事例の保管時の使用状態図である。
本事例の発明は、防熱性シート３の表シート１１と裏シート１２の左右中間に、図１３に示すような半円状のマグネットシート１７を挟みこみ、周囲を縫合により固定したものである。このマグネットシートの利用は操作具１と補助操作具２のどちらか一方に使用してもよいし、双方に使用してもよい。
これにより、磁着素材よりなる対象物を持ち運ぶ際の安定性を向上させるとともに、図１４に示すようにマグネットシートで冷蔵庫の扉などに磁石で着脱することも可能となる。【００１７】  以下、本発明の第三実施の形態について図１５乃至図１６を用いて説明する。
図１５は本発明の他事例の平面図、図１６は本発明の他事例の説明図である。
本事例の発明は、形状を変えたものである。本発明においては、全体の外周形状は円状に限定されず、方形状、任意の形状において使用可能であるが、本事例においては図１５に示すように略ハート形状としたものである。
本事例において指収納部４ａは指挿入側の開放端が平行ではなく、下方に向かうにつれ間隔が広がるようになっている。そのため、そのまま補助操作具２を操作具１に収納した場合、脱落してしまう可能性が高い。そこで、操作具１の下部に、補助操作具１の下部が収納できるようなポケット状の抜けストッパーが設けられている。これにより、図１６に示すように補助操作具２を操作具１に収納することで、脱落を防ぐことが可能となる。
以上、各実施の形態を説明したが、本発明はこれに限定されるものではなく、各機構を利用可能な範囲で組み替え可能である。また、形状に関して上記事例に限定されず、四角形や６角形、任意のキャラクター形状など、上記利用可能範囲で適用できる。
【図面の簡単な説明】
【００１８】
【図１】  本発明の分離した状態の斜視図
【図２】  本発明の一体化した状態の斜視図
【図３】  本発明の分解斜視図
【図４】  本発明の斜視説明図
【図５】  本発明の裏面からみた斜視図
【図６】  本発明の分離した状態の断面図
【図７】  本発明の一体化した状態の断面図
【図８】  本発明の使用状態を示す分解図
【図９】  本発明の操作時の使用状態図
【図１０】  本発明の保管時の使用状態図
【図１１】  本発明の他の事例図
【図１２】  本発明の他の事例の断面図
【図１３】  本発明のマグネットシートの斜視図
【図１４】  本発明の他事例の保管時の使用状態図
【図１５】  本発明の他事例の平面図
【図１６】  本発明の他事例の説明図
【符号の説明】
【００１９】１  操作具、
２  補助操作具、
３；３ａ；３ｂ  防熱性シート、
４；４ａ；４ｂ  指収納部、
５；５ａ；５ｂ  外周縁、
６；６ａ；６ｂ  引っ掛け部、
７；７ａ；７ｂ  補助シート、
８；８ａ；８ｂ  補助シート用縁、
９；９ａ；９ｂ  収納部縁、
１０；１０ａ；１０ｂ  折込部、
１１  表シート、
１２  裏シート、
１３；１３ａ；１３ｂ  縫合部、
１４  冷蔵庫、
１５  フック、
１６  防滑材、
１７  マグネットシート、
１８  鍋、
１９  抜けストッパー
【図１】
2007054586.tif 000003
【図２】
2007054586.tif 000004
【図３】
2007054586.tif 000005
【図４】
2007054586.tif 000006
【図５】
2007054586.tif 000007
【図６】
2007054586.tif 000008
【図７】
2007054586.tif 000009
【図８】
2007054586.tif 000010
【図９】
2007054586.tif 000011
【図１０】
2007054586.tif 000012
【図１１】
2007054586.tif 000013
【図１２】
2007054586.tif 000014
【図１３】
2007054586.tif 000015
【図１４】
2007054586.tif 000016
【図１５】
2007054586.tif 000017
【図１６】
2007054586.tif 000018